(57)【要約】【課題】網のみを交換することにより継続的に使用可能な篩器具を提供する。【解決手段】筒形状で第２端部２３において全周にわたって側方に拡張した第１拡張部２５を有する第１枠部材２０と、筒形状で第３端部３１において全周にわたって側方に拡張した第２拡張部３５を有する第２枠部材３０と、第１枠部材２０と第２枠部材３０とに挟まれた位置にある網部材４０と、を備え、第２端部２３と第３端部３１との間の筒内を網部材４０により仕切らせた状態で第１拡張部２５と第２拡張部３５とが着脱可能に結合されていると共に、第１拡張部２５と第２拡張部３５とにより網部材４０の縁部４３を全周にわたって挟持させている篩器具１０。【選択図】図２
2016097360.tif 000002
【特許請求の範囲】
【請求項１】
筒形状で第１端部から第２端部まで貫通し、前記第２端部において全周にわたって側方に拡張した第１拡張部を有する第１枠部材と、
筒形状で第３端部から第４端部まで貫通し、前記第３端部において全周にわたって側方に拡張した第２拡張部を有する第２枠部材と、
板形状で多数の小孔を有し、前記第１枠部材と前記第２枠部材とに挟まれた位置にある網部材と、を備え、
前記第２端部と前記第３端部との間の筒内を前記網部材により仕切らせた状態で前記第１拡張部と前記第２拡張部とが着脱可能に結合されていると共に、前記第１拡張部と前記第２拡張部とにより前記網部材の縁部を全周にわたって挟持させている篩器具。
【請求項２】
前記第１拡張部は、内縁から側方に所定の幅で環状に凹んだ凹部を有し、前記網部材の前記縁部が全周にわたって前記凹部に嵌まっている請求項１に記載の篩器具。
【請求項３】
前記第２拡張部は、内縁から側方に所定の幅で環状に突出すると共に前記第１拡張部の前記凹部に嵌まり込む凸部を有し、
前記網部材の前記縁部の厚さは前記凹部の深さよりも小さく、前記凹部と前記凹部に嵌まり込んだ前記凸部とにより前記網部材の前記縁部が挟持されている請求項２に記載の篩器具。
【請求項４】
前記第１拡張部と前記第２拡張部との結合状態を固定する固定部材を更に備える請求項１〜３のいずれか１項に記載の篩器具。
【請求項５】
前記固定部材は、前記第１拡張部と前記第２拡張部との結合状態で、前記第１拡張部および前記第２拡張部を側方から締め付けるクランプバンドである請求項４に記載の篩器具。
【請求項６】
前記固定部材は、前記第１拡張部と前記第２拡張部との結合状態で、前記第１拡張部を貫通して前記第２拡張部に挿入されるネジ機構および／または前記第２拡張部を貫通して前記第１拡張部に挿入されるネジ機構である請求項４または５に記載の篩器具。
【発明の詳細な説明】
【技術分野】
【０００１】
本発明は、篩器具に関する。例えば、粉体の篩い分けに用い得る篩器具に関する。
【背景技術】
【０００２】
様々な粒子径の粒子の混じった粉体に関しては、篩器具を用いて粉体の篩い分けをすることがある。通常の篩器具では、筒状の枠体の中間部が、所望の大きさの目開きを有する網により仕切られた構造をしている（例えば、特許文献１を参照）。
【先行技術文献】
【特許文献】
【０００３】
【特許文献１】特開２００８−２２１１３７号公報
【発明の概要】
【発明が解決しようとする課題】
【０００４】
ところが、従来の篩器具では、使用の継続により網の目が塞がれてしまうと、網だけではなく、枠体も含めて篩器具を丸ごと廃棄しなければならない。
【０００５】
上記の問題に鑑みて、本発明の目的は、網のみを交換することにより継続的に使用可能な篩器具を提供することにある。
【課題を解決するための手段】
【０００６】
本発明は、以下に示す篩器具である。
【０００７】
［１］  筒形状で第１端部から第２端部まで貫通し、前記第２端部において全周にわたって側方に拡張した第１拡張部を有する第１枠部材と、筒形状で第３端部から第４端部まで貫通し、前記第３端部において全周にわたって側方に拡張した第２拡張部を有する第２枠部材と、板形状で多数の小孔を有し、前記第１枠部材と前記第２枠部材とに挟まれた位置にある網部材と、を備え、前記第２端部と前記第３端部との間の筒内を前記網部材により仕切らせた状態で前記第１拡張部と前記第２拡張部とが着脱可能に結合されていると共に、前記第１拡張部と前記第２拡張部とにより前記網部材の縁部を全周にわたって挟持させている篩器具。
【０００８】
［２］  前記第１拡張部は、内縁から側方に所定の幅で環状に凹んだ凹部を有し、前記網部材の前記縁部が全周にわたって前記凹部に嵌まっている前記［１］に記載の篩器具。
【０００９】
［３］  前記第２拡張部は、内縁から側方に所定の幅で環状に突出すると共に前記第１拡張部の前記凹部に嵌まり込む凸部を有し、前記網部材の前記縁部の厚さは前記凹部の深さよりも小さく、前記凹部と前記凹部に嵌まり込んだ前記凸部とにより前記網部材の前記縁部が挟持されている前記［２］に記載の篩器具。
【００１０】
［４］  前記第１拡張部と前記第２拡張部との結合状態を固定する固定部材を更に備える前記［１］〜［３］のいずれかに記載の篩器具。
【００１１】
［５］  前記固定部材は、前記第１拡張部と前記第２拡張部との結合状態で、前記第１拡張部および前記第２拡張部を側方から締め付けるクランプバンドである前記［４］に記載の篩器具。
【００１２】
［６］  前記固定部材は、前記第１拡張部と前記第２拡張部との結合状態で、前記第１拡張部を貫通して前記第２拡張部に挿入されるネジ機構および／または前記第２拡張部を貫通して前記第１拡張部に挿入されるネジ機構である前記［４］または［５］に記載の篩器具。
【発明の効果】
【００１３】
本発明の篩器具によれば、網部材のみを交換することにより継続的に使用可能となる。
【図面の簡単な説明】
【００１４】
【図１】本発明の一実施形態の篩器具の模式的な斜視図である。
【図２】図１中のＡ−Ａ’断面の模式図である。
【図３】本発明の一実施形態の篩器具の模式的な拡大断面図である。
【図４】本発明の他の実施形態の篩器具の模式的な拡大断面図である。
【発明を実施するための形態】
【００１５】
以下、図面を参照しつつ本発明の実施の形態について説明する。本発明は、以下の実施形態に限定されるものではなく、本発明の範囲を逸脱しない限りにおいて、変更、修正、改良を加え得るものである。
【００１６】
図１〜図３を参照して述べると、本発明の一実施形態の篩器具１０は、第１枠部材２０と、第２枠部材３０と、網部材４０と、を備えている。第１枠部材２０は、筒形状で第１端部２１から第２端部２３まで貫通し、第２端部２３において全周にわたって側方に拡張した第１拡張部２５を有する。第２枠部材３０は、筒形状で第３端部３１から第４端部３３まで貫通し、第３端部３１において全周にわたって側方に拡張した第２拡張部３５を有する。網部材４０は、板形状で多数の小孔４１を有し、第１枠部材２０と第２枠部材３０とに挟まれた位置にある。更に、篩器具１０では、第２端部２３と第３端部３１との間の筒内を網部材４０により仕切らせた状態で第１拡張部２５と第２拡張部３５とが着脱可能に結合されている。それと共に、第１拡張部２５と第２拡張部３５とにより網部材４０の縁部４３を全周にわたって挟持させている。なお、図１は、本発明の一実施形態の篩器具１０の模式的な斜視図である。図２は、図１中のＡ−Ａ’断面の模式図である。図３は、本発明の一実施形態の篩器具１０の模式的な拡大断面図である。図３では、結合状態にある第１拡張部２５および第２拡張部３５を中心に構造を示している。
【００１７】
篩器具１０では、第１拡張部２５と第２拡張部３５とが着脱可能に結合されていることにより、第１枠部材２０、第２枠部材３０、および網部材４０をそれぞれ個別に分解することが可能である。そのため、篩器具１０によれば、上述のように分解した後、網部材４０のみを交換し、第１枠部材２０および第２枠部材３０をそのまま用い続けて、篩器具１０を再構成することが可能になる。すなわち、篩器具１０によれば、網部材４０のみを交換することにより継続的に使用可能となる。
【００１８】
また、篩器具１０によれば、第１枠部材２０および第２枠部材３０をそれぞれ１個用意し、複数の異なる目開きの網部材４０を用意すれば、簡便に、粉体を所望の大きさで篩い分けすることが可能になる。
【００１９】
篩器具１０では、第１拡張部２５は、内縁２９から側方に所定の幅Ｗ１で環状に凹んだ凹部２７を有し、網部材４０の縁部４３が全周にわたって凹部２７に嵌まっていることが好ましい（図３を参照）。このように網部材４０の縁部４３が全周にわたって凹部２７に嵌まっていることにより、網部材４０が第１拡張部２５および第２拡張部３５から外れ難くなる。なお、網部材４０の縁部４３を嵌め込める限り、凹部２７の幅Ｗ１は、場所ごとで異なっていてもよい。
【００２０】
図示しないが、第２拡張部３５にも第１拡張部２５と同様な凹部を設け、第１拡張部および第２拡張部が結合状態にあるときに、第１拡張部の凹部および第２拡張部の凹部の双方に網部材の縁部を嵌め込ませた形態であってもよい。
【００２１】
篩器具１０では、第２拡張部３５は、内縁３９から側方に所定の幅Ｗ２で環状に突出すると共に第１拡張部２５の凹部２７に嵌まり込む凸部３７を有していると好ましい。それと同時に、図３に示されているように、網部材４０の縁部４３の厚さＴは凹部２７の深さＤよりも小さく、凹部２７と凹部２７に嵌まり込んだ凸部３７とにより網部材４０の縁部４３が挟持されていることが好ましい。これらの形態により、網部材４０が第１拡張部２５および第２拡張部３５から外れ難くなり、また、結合部位からの粉体の漏れを抑制することが可能になる。
【００２２】
なお、第１拡張部２５の凹部２７に嵌まり込むことが可能な限り、第２拡張部３５の凸部３７の幅Ｗ２は制限されない。また、凸部３７の幅Ｗ２は、場所ごとで異なっていてもよい。
【００２３】
図示しないが、第１拡張部２５と第２拡張部３５とにより網部材４０の縁部４３を挟持させるに際し、第１拡張部２５と網部材４０の縁部４３との間に環状のパッキンを挟ませてもよい。同様に、第２拡張部３５と網部材４０の縁部４３との間に環状のパッキンを挟ませてもよい。上述のように環状のパッキンを設けることにより、第１拡張部２５と第２拡張部３５とによる網部材４０の縁部４３の締め付けを強化することが可能になる。
【００２４】
第１枠部材２０および第２枠部材３０の形状は、図１に示されているような円形の断面を有する円筒形状に限らず、三角形、四角形、六角形などの多角形の断面を有する筒形状であってもよい。また、第１枠部材２０および第２枠部材３０の材質は、金属、樹脂など特に制限されない。
【００２５】
網部材４０は、篩い分けする粉体に応じて、小孔４１の形状や大きさを所望のものとできる。また、網部材４０の材質は、金属、樹脂など特に制限されない。
【００２６】
篩器具１０では、第１拡張部２５と第２拡張部３５との結合状態を固定する固定部材５０を更に備えることが好ましい。固定部材５０を備える場合、第１拡張部２５と第２拡張部３５との結合状態をより確実に保たせることが可能になる。
【００２７】
固定部材５０は、第１拡張部２５と第２拡張部３５との結合状態で、第１拡張部２５および第２拡張部３５を側方から締め付けるクランプバンド５１であるとよい（図１および図３を参照）。
【００２８】
図３に示されているように、固定部材５０としてクランプバンド５１を用いる場合、第１拡張部２５の外側部および第２拡張部３５の外側部は、それぞれ第１端部２１、第４端部３３に向けて幅を狭めるテーパー形状であることが好ましい。それと同時に、クランプバンド５１の内面の形状が、結合状態にある第１拡張部２５の外側部の形状および第２拡張部３５の外側部の形状と相補的であると好ましい。このような形態である場合、第１拡張部２５と第２拡張部３５との結合状態がより確実に保持され易くなる。
【００２９】
図４は、本発明の他の実施形態の篩器具６０の模式的な拡大断面図である。図４では、結合状態にある第１拡張部２５および第２拡張部３５を中心に構造を示している。固定部材５０としては、第１拡張部２５と第２拡張部３５との結合状態で、第１拡張部２５を貫通して第２拡張部３５に挿入されるネジ機構５３（図４を参照）および／または第２拡張部３５を貫通して第１拡張部２５に挿入されるネジ機構５３であってもよい。固定部材５０がネジ機構５３である場合には、第１拡張部２５および第２拡張部３５の複数箇所を、ネジ機構５３により固定するとよい。なお、「第１拡張部２５を貫通して第２拡張部３５に挿入されるネジ機構５３」および「第２拡張部３５を貫通して第１拡張部２５に挿入されるネジ機構５３」には、第１拡張部２５および第２拡張部３５の双方を貫通して少なくとも一方の端部をボルトナットで締め付けるネジ機構５３も含まれうる。
【産業上の利用可能性】
【００３０】
本発明は、例えば、粉体の篩い分けに用いられる篩器具として利用できる。
【符号の説明】
【００３１】
１０：篩器具、２０：第１枠部材、２１：第１端部、２３：第２端部、２５：第１拡張部、２７：凹部、２９：（第１枠部材の）内縁、３０：第２枠部材、３１：第３端部、３３：第４端部、３５：第２拡張部、３７：凸部、３９：（第２枠部材の）内縁、４０：網部材、４１：小孔、４３：（網部材の）縁部、５０：固定部材、５１：クランプバンド、５３：ネジ機構、６０：篩器具。
【図１】
2016097360.tif 000003
【図２】
2016097360.tif 000004
【図３】
2016097360.tif 000005
【図４】
2016097360.tif 000006